(57)【要約】  【課題】  台座に載置してある可搬容器に柄付清掃具の清掃体を収容し、支持部で柄を支持することができ、また、持ち運びが容易であり、更に、転倒を抑制することができる清掃具収納器を提供する。  【解決手段】  柄付清掃具３の清掃体３１を収容し、その底部外面に突出部１０を有し、側部外面に摘持部１１を有する杯状の可搬容器１と、突出部１０が嵌合する穴２１０が形成されており、可搬容器１が着脱可能に載置される台座２１、及び台座２１に一体的に設けられ、柄付清掃具３の柄３２を支持する支持部２２を有する収納器本体２とを備える。【選択図】      図１
2006122225.tif 000002
【特許請求の範囲】
【請求項１】
被清掃部を清掃する清掃体と、該清掃体を保持する柄とを備える柄付清掃具が収納される清掃具収納器において、
前記清掃体を収容し、その底部外面に突出部を有する可搬容器と、
前記突出部が嵌合する穴が形成されており、前記可搬容器が着脱可能に載置される台座、及び該台座に一体的に設けられ、前記柄を支持する支持部を有する収納器本体と
を備えることを特徴とする清掃具収納器。
【請求項２】
前記可搬容器は、該可搬容器の側部外面に摘持部を有することを特徴とする請求項１に記載の清掃具収納器。
【請求項３】
前記穴及び前記突出部の一方に凸部が形成され、前記穴及び前記突出部の他方に前記凸部が嵌合する凹部が形成されていることを特徴とする請求項１又は２に記載の清掃具収納器。
【請求項４】
前記突出部は、前記底部外面に垂設されている錐台状であり、
前記穴の内面は、前記突出部の外面に沿う形状を有することを特徴とする請求項１乃至３の何れか一項に記載の清掃具収納器。
【発明の詳細な説明】
【技術分野】
【０００１】
本発明は、便器、浴槽等を清掃する柄付清掃具を収納する清掃具収納器に関する。
【背景技術】
【０００２】
便所清掃用のブラシ、靴洗浄用のブラシ、デッキブラシ等の柄付清掃具は、便器、靴、床面等の被清掃部を清掃する清掃体と、その一端側に清掃体を保持する柄とを備える（特許文献１参照）。
【０００３】
このような柄付清掃具を収納する場合に、清掃時に汚損し、又は水分を含む清掃体を収容する容器状の収容部と、柄付清掃具の使用者が把持すべき柄を、収容部に収容された清掃体の上側で支持する支持部とを備える清掃具収納器が用いられている。
【特許文献１】特開２００２−１０８３１号公報
【発明の開示】
【発明が解決しようとする課題】
【０００４】
従来の清掃具収納器は、収容部と支持部とを一体的に備えていた。また、清掃具収納器が転倒しないよう、収容部の重量を大きくするか、安定性を有する大きなサイズにする必要があった。このため、清掃具収納器の使用者は、床面に汚水が滴り落ちないよう柄付清掃具を持ち運ぶ場合、収容部に溜まった水を捨てに行く場合等に、支持部付きの重く嵩張る収容部を持ち運ぶ必要があった。
【０００５】
本発明は斯かる事情に鑑みてなされたものであり、支持部及び台座が一体的に設けられている収納器本体と、突出部が台座の穴に嵌合して着脱可能に載置される可搬容器とを備えることにより、持ち運びが容易であり、また、転倒を抑制することができる清掃具収納器を提供することを目的とする。
【０００６】
本発明の他の目的は、可搬容器が摘持部を備えることにより、可搬容器の着脱及び持ち運びが簡便である清掃具収納器を提供することにある。
【０００７】
本発明の他の目的は、台座の穴及び可搬容器の突出部の一方に凸部、他方に凹部が形成してあることにより、台座に載置される可搬容器の向きを固定することができる清掃具収納器を提供することにある。
【０００８】
本発明の更に他の目的は、可搬容器の突出部が錐台状であり、台座の穴が突出部の外面に沿う形状を有することにより、台座に対する可搬容器の着脱が容易である清掃具収納器を提供することにある。
【課題を解決するための手段】
【０００９】
第１発明に係る清掃具収納器は、被清掃部を清掃する清掃体と、該清掃体を保持する柄とを備える柄付清掃具が収納される清掃具収納器において、前記清掃体を収容し、その底部外面に突出部を有する可搬容器と、前記突出部が嵌合する穴が形成されており、前記可搬容器が着脱可能に載置される台座、及び該台座に一体的に設けられ、前記柄を支持する支持部を有する収納器本体とを備えることを特徴とする。
【００１０】
第２発明に係る清掃具収納器は、前記可搬容器は、該可搬容器の側部外面に摘持部を有することを特徴とする。
【００１１】
第３発明に係る清掃具収納器は、前記穴及び前記突出部の一方に凸部が形成され、前記穴及び前記突出部の他方に前記凸部が嵌合する凹部が形成されていることを特徴とする。
【００１２】
第４発明に係る清掃具収納器は、前記突出部は、前記底部外面に垂設されている錐台状であり、前記穴の内面は、前記突出部の外面に沿う形状を有することを特徴とする。
【００１３】
第１発明にあっては、被清掃部を清掃する清掃体と、清掃体を保持する柄とを備える柄付清掃具を、例えば柄を上側に、清掃体を下側にして収納する。このため、清掃時に汚損した清掃体、又は水分を含む清掃体が、床面、使用者の手等、清掃具収納器の外部に触れ難い。また、清掃体の汚れ、水分等が柄に移動し難い。
【００１４】
清掃具収納器は、台座及び支持部が一体的に設けられた収納器本体と、収納器本体とは別体に設けられた可搬容器とを備える。可搬容器は杯状、箱状等であり、柄付清掃具の清掃体を収容する。また、可搬容器は底部外面に突出部を有する。このような可搬容器は、着脱可能に台座に載置され、可搬容器が台座に載置される場合、可搬容器の突出部は台座に形成してある穴に嵌合する。ここで、突出部は可搬容器の底部外面に形成してあるため、突出部は台座の穴に対して上下方向に嵌脱される。以上の結果、台座から取り外された可搬容器は可搬容器単体で持ち運びが可能である。また、更に、台座に載置された可搬容器は、可搬容器の突出部と台座の穴との嵌合によって、台座からの脱離が抑制される。
【００１５】
柄付清掃具を清掃具収納器に収納する場合、使用者は、台座に載置されている可搬容器に柄付清掃具の清掃体を収容させ、台座に一体的に設けられている支持部に柄付清掃具の柄を支持させる。また、例えば可搬容器に溜まった水を捨てに行く場合、使用者は可搬容器を台座から取り外し、収納器本体を残して可搬容器を持ち運ぶ。
【００１６】
第２発明にあっては、可搬容器の側部外面に摘持部を有する。使用者は摘持部を摘持して、可搬容器を台座に着脱し、また、持ち運ぶ。
【００１７】
第３発明にあっては、台座の穴に凸部及び／又は凹部が形成してあり、可搬容器の突出部に、台座の穴の凸部及び／又は凹部に嵌合する凹部及び／又は凸部が形成してある。凸部及び凹部の組は、１組でも複数組でも良い。
【００１８】
可搬容器が台座に載置される場合、ひいては可搬容器の突出部が台座の穴に嵌合する場合、可搬容器の突出部と台座の穴との凸部及び凹部の組が嵌合するため、穴に嵌合した突出部が、嵌合したままで穴の内面に対し摺動すること、即ち台座に載置された可搬容器の向きが、可搬容器の深さ方向周りに変化することが抑制される。
【００１９】
第４発明にあっては、可搬容器の突出部が、可搬容器の底部外面に垂設されている中実又は中空の錐台状であり、台座の穴の内面が、可搬容器の突出部の外面に沿う形状を有する。つまり、突出部は先細りのテーパ状の面を有し、台座の穴は深さ方向に狭くなるテーパ状の面を有し、可搬容器の突出部及び台座の穴夫々のテーパ状の面は、互いに対応している。
【発明の効果】
【００２０】
第１発明の清掃具収納器によれば、清掃時に汚損した柄付清掃具の清掃体、又は水分を含む清掃体が、床面、使用者の手等、清掃具収納器の外部に触れることを抑制することができる。また、清掃体の汚れ、水分等が柄付清掃具の柄に移動することを抑制することができる。以上の結果、床面、使用者の手等が柄付清掃具によって濡れること、汚されること等を抑制することができる。
【００２１】
また、台座から取り外した可搬容器単体を持ち運ぶことができ、台座及び支持部を有する収納器本体を可搬容器と共に持ち運ぶ必要がない。更に、可搬容器は清掃具収納器全体に比べて軽く、小型であるため、持ち運びが容易である。
【００２２】
更にまた、収納器本体、特に台座を重く、大きくする場合でも、収納器本体は持ち運ばれることが少ないため、収納器本体が重く嵩張ることによって使用者の利便性が低減することを抑制することができる。また、台座に載置された可搬容器は、可搬容器の突出部と台座の穴とが嵌合し、突出部を穴から離脱させる場合は可搬容器を上方向へ移動させる必要がある。以上のことから、可搬容器の台座からの脱離を抑制することができ、更に、収納器本体、特に台座を、重くし、又は安定性を有する大きな形状にすることができ、この結果、清掃具収納器の転倒を抑制することができる。
【００２３】
また、可搬容器の突出部と台座の穴との嵌合によって可搬容器を台座に固定するため、可搬容器の着脱が簡単であり、しかも清掃具収納器の構成が簡易である。
【００２４】
第２発明の清掃具収納器によれば、可搬容器が摘持部を有するため、使用者は摘持部を摘持することによって、可搬容器を台座に着脱すること、及び持ち運ぶことを簡便に行なうことができる。更に、摘持部は可搬容器の側部外面に配されているため、可搬容器に対し清掃体を出し入れする場合に清掃体の移動、収容等を摘持部が阻害すること、摘持部を摘持する使用者の手が清掃体に接触して使用者の手が汚損されること等を抑制することができる。
【００２５】
第３発明の清掃具収納器によれば、可搬容器が台座に載置される場合、ひいては可搬容器の突出部が台座の穴に嵌合する場合、可搬容器と台座の穴との凸部及び凹部の組が嵌合するため、台座に載置された可搬容器の向きが、可搬容器の深さ方向周りに変化することが抑制される。つまり、台座の穴及び可搬容器の突出部に、凸部と凹部との組を備えることによって、台座に載置される可搬容器の向きを固定することができる。特に、可搬容器に摘持部が設けられている場合、摘持部の位置を固定することができ、このため摘持部を摘持する使用者の利便性を向上させることができる。
【００２６】
第４発明の清掃具収納器によれば、台座の穴が、深さ方向に狭くなるテーパ状の面を有し、突出部が先細りのテーパ状の面を有し、穴及び突出部夫々のテーパ状の面は、互いに対応している。このため、穴に嵌合された突出部と穴との接触面積が大きく、突出部が穴の内部でガタつくことを抑制することができる。また、使用者が可搬容器を僅かに持ち上げただけでも、突出部と穴との間に空隙が生じるため、穴に対する突出部の嵌脱は容易になる。つまり、台座に対する可搬容器の着脱が容易である。
【００２７】
更に、可搬容器の突出部が、可搬容器の底部外面に垂設されている錐台状であるため、使用者は、例えば床面に可搬容器を直接置くことができ、このとき可搬容器は安定して床面上に立つことができる等、本発明は優れた効果を奏する。
【発明を実施するための最良の形態】
【００２８】
以下、本発明を、その実施の形態を示す図面に基づいて詳述する。
【００２９】
図１は、本発明に係る清掃具収納器４の構成を示す斜視図である。清掃具収納器４は、図示しない被清掃部を清掃する清掃体３１と、清掃体３１を保持する柄３２とを備える柄付清掃具３を収納する。図１は、清掃具収納器４に柄付清掃具３を収納する方法を示す説明図でもある。また、図２は、清掃具収納器４が備える可搬容器１の構成を示し、図２（ａ）は側面図であり、図２（ｂ）は可搬容器１の突出部１０の拡大斜視図である。更に、図３は、清掃具収納器４が備える収納器本体２の構成を示し、図３（ａ）は正面図であり、図３（ｂ）は収納器本体２の台座２１の平面図である。
【００３０】
図１及び図２に示すように、清掃具収納器４は、柄付清掃具３の清掃体３１を収容する可搬容器１を備える。可搬容器１は杯状であり、可搬容器１の底部外面に突出部１０を有し、側部外面に摘持部１１を有する。突出部１０及び摘持部１１は、可搬容器１に一体成型されている。
【００３１】
摘持部１１は、可搬容器１の側部外面から突出する板状であり、可搬容器１の上部開口近傍に設けられている。つまり、摘持部１１は、可搬容器１に対する清掃体３１の出し入れを阻害しない位置であり、しかも摘持部１１を使用者が摘持し易い位置に設けられている。
【００３２】
突出部１０は、可搬容器１の底部外面に垂設されている中空の錐台状である。突出部１０に関して更に詳細には、錐台の底部側が可搬容器１の底部外面に連設されている。また、錐台の上部側は水平面に略一致し、このため、可搬容器１は突出部１０を脚部として略水平の床面に安定して載置可能である。更に、突出部１０の側部外面には、凸部１０ａが形成されている。ここで、可搬容器１の深さ方向周りに関し、凸部１０ａの形成位置と摘持部１１の形成位置とは略等しい。
【００３３】
図１及び図３に示すように、清掃具収納器４は、台座２１及び支持部２２を有する収納器本体２を備える。台座２１には、可搬容器１の突出部１０が嵌合する穴２１０が形成されており、可搬容器１が着脱可能に載置される。支持部２２は、台座２１に一体的に設けられており、柄付清掃具３の柄３２を支持する。
【００３４】
台座２１は、一端側開口が閉鎖されたような短い円筒状であり、閉鎖側を上面とする。また、台座２１は、上面の略中央に、上面の一部が円筒の内側へ中空の円錐台状に陥没したような穴２１０を有する。穴２１０の内面は、可搬容器１の突出部１０の外面に沿う形状を有する。つまり、突出部１０は先細りのテーパ状の面を有し、穴２１０は深さ方向に狭くなるテーパ状の面を有し、突出部１０及び穴２１０夫々のテーパ状の面は、互いに対応している。
【００３５】
支持部２２は、台座２１の側面の一部に連続して、台座２１の上面に対して略垂直に立設してある壁状である。支持部２２の高さは、台座２１に載置された可搬容器１の高さよりも高い。また、支持部２２の先端部は湾曲して台座２１の上面側へ張り出しており、更に、張り出した先端部をＵ字状に切り欠くようにして、柄付清掃具３の柄３２を受け止める柄受け２２ａが形成してある。平面視における柄受け２２ａの位置と台座２１の穴２１０の位置とは略一致している。
【００３６】
また、台座２１の穴２１０には、可搬容器１の突出部１０の凸部１０ａが嵌合する凹部２１ａが形成されている。穴２１０の深さ方向周りに関し、凹部２１ａの形成位置は、支持部２２に対向する位置、更に詳細には支持部２２の柄受け２２ａのＵ字の底部に対向する位置である。以上のような台座２１と支持部２２とは一体成型してなる。
【００３７】
台座２１が床面に載置された場合、台座２１の上面は、床面に略平行になる。突出部１０が、凸部１０ａと凹部２１ａとが嵌合するようにして穴２１０に嵌合したとき、可搬容器１の底部外面が、台座２１の上面に当接し、可搬容器１は台座２１に安定して載置される。
【００３８】
図１に示すように、柄付清掃具３は、便器のような被清掃部を洗浄する場合に用いられる柄付ブラシであり、清掃体３１は、ポリエステルを用いてなる糸状の合成繊維を束ねて形成されたブラシである。柄３２はポリエチレンのような合成樹脂を用いてなる棒状であり、一端に清掃体３１を固定してあり、他端に握持部を備える。使用者は柄３２の握持部を握持して柄付清掃具３を使用し、又は持ち運ぶ。
【００３９】
図４は、収納器本体２に対する可搬容器１の着脱方法を示す説明図である。清掃具収納器４を使用する使用者は、台座２１を使用者から見て手前側に、支持部２２を奥側にして収納具本体２を床面に載置する。この場合、台座２１の凹部２１ａが手前側に、支持部２２の柄受け２２ａが奥側に配される。
【００４０】
また、使用者は、可搬容器１の摘持部１１を摘持して可搬容器１を持ち運ぶ。この場合、摘持部１１及び突出部１０の凸部１０ａが使用者から見て手前側に配される。
【００４１】
更に使用者は、可搬容器１の突出部１０を、突出部１０の凸部１０ａが穴２１０の凹部２１ａに嵌合するように、台座２１の穴２１０に嵌合させて、可搬容器１を台座２１に載置する。凸部１０ａが凹部２１ａに嵌合されていない場合、可搬容器１は台座２１に安定して載置されないが、使用者が摘持している摘持部１１と凸部１０ａ及び凹部２１ａの両方とが使用者から見て手前側に配されているため、使用者は容易に、しかも正確に凸部１０ａと凹部２１ａとを嵌合させ、ひいては突出部１０と穴２１０とを嵌合させることができ、簡便に、可搬容器１を台座２１に安定して載置することができる。
【００４２】
更にまた、使用者は台座２１に載置されている可搬容器１の摘持部１１を摘持して、突出部１０を穴２１０から離脱させて、可搬容器１を台座２１から取り外す。
【００４３】
以上のような清掃具収納器４に柄付清掃具３を収納する場合、使用者は、柄付清掃具３の柄３２の握持部を握持して、図１に示すように、まず、図中白抜矢符方向に柄付清掃具３を移動させて、柄付清掃具３の清掃体３１を、清掃具収納器４の台座２１に載置してある可搬容器１に収容する。次に、図中矢符方向に柄付清掃具３を移動させ、柄受け２２ａ内部に柄３２の外面を当接させることによって、柄受け２２ａに柄３２を受け止めさせる。この結果、柄３２は支持部２２に支持され、柄付清掃具３の転倒が抑制される。
【００４４】
本実施の形態の清掃具収納器４は、可搬容器１に収容されている清掃体３１を覆う部分（例えば可搬容器１の蓋）を備えないため、清掃体３１を短時間で乾燥させることができる。なお、支持部２２に柄３２を掛止して、可搬容器１に収容されている清掃体３１が可搬容器１の底部から離隔するようにしても良い。この場合、清掃体３１から水が可搬容器１へ滴り落ち、可搬容器１内の底部に溜まった水が再び清掃体３１を濡らすことが抑制されるため、清掃体３１を更に短時間で乾燥させることができる。
【００４５】
以上のような清掃具収納器４によれば、柄付清掃具３を、柄３２を上側に、清掃体３１を下側にして収納するため、清掃時に汚損した清掃体３１、又は水分を含む清掃体３１が、床面、使用者の手等、清掃具収納器４の外部に触れることを抑制することができる。また、清掃体３１の汚れ、水分等が柄３２に移動することを抑制することができる。以上の結果、床面、使用者の手等が柄付清掃具３によって濡れること、汚されること等を抑制することができる。
【００４６】
また、例えば床面に汚水が滴り落ちないように柄付清掃具３を持ち運ぶ場合は、台座２１から取り外した可搬容器１で、柄付清掃具３の清掃体３１から滴り落ちる水を受けながら柄付清掃具３及び可搬容器１を持ち運ぶことができ、可搬容器１と共に収納器本体２を持ち運ぶ必要がない。更に、滴り落ちる水を使用者の手、他の容器等で受ける必要もないため、使用者の手、他の容器等が濡れることを防止することができる。更にまた、例えば可搬容器１に溜まった水を捨てに行く場合は、可搬容器１単体を持ち運ぶことができる。つまり、清掃具収納器４においては主に可搬容器１が持ち運ばれ、可搬容器１は清掃具収納器４全体に比べて軽く、小型であるため、持ち運びが容易である。
【００４７】
更に、収納器本体２、特に台座２１を重く、又は大きくする場合でも、収納器本体２は持ち運ばれることが少ないため、収納器本体２が重く嵩張ることによって使用者の利便性が低減することを抑制することができる。更にまた、台座２１に載置された可搬容器１は、可搬容器１の突出部１０と台座２１の穴２１０とが嵌合し、突出部１０を穴２１０から離脱させる場合は可搬容器１を上方向へ移動させる必要がある。以上のことから、可搬容器１の台座２１からの脱離を抑制することができ、また、収納器本体２、特に台座２１を、重くし、又は安定性を有する大きな形状にすることができ、この結果、清掃具収納器４の転倒を抑制することができる。
【００４８】
更にまた、可搬容器１の突出部１０と台座２１の穴２１０との嵌合によって可搬容器１を台座２１に固定するため、可搬容器１の着脱が簡単であり、清掃具収納器４の構成が簡易である。
【００４９】
また、可搬容器１が摘持部１１を有するため、使用者は摘持部１１を摘持することによって、可搬容器１を台座２１に着脱し、更に、持ち運ぶことを簡便に行なうことができる。更にまた、摘持部１１は可搬容器１の側部外面に配されているため、可搬容器１に対し清掃体３１を出し入れする場合に清掃体３１の移動、収容等を摘持部１１が阻害すること、摘持部１１を摘持する使用者の手が清掃体３１に接触して使用者の手が汚損されること等を抑制することができる。
【００５０】
更に、可搬容器１が台座２１に載置される場合、ひいては可搬容器１の突出部１０が台座２１の穴２１０に嵌合する場合、突出部１０の凸部１０ａが穴２１０の凹部２１ａに嵌合するため、台座２１に載置された可搬容器１の向きが、可搬容器１の深さ方向周りに変化することが抑制される。つまり、台座２１の穴２１０及び可搬容器１の突出部１０に、凸部１０ａと凹部２１ａとの組を備えることによって、台座２１に載置される可搬容器１の向き、ひいては可搬容器１が台座２１に載置されている場合の摘持部１１の位置を固定することができる。本実施の形態においては可搬容器１が台座２１に載置されている場合の摘持部１１の位置を使用者から見て手前側に固定できるため、摘持部１１を摘持する使用者の利便性を向上させることができる。
【００５１】
ところで、仮に、可搬容器１の突出部１０が、可搬容器１の底部外面に垂設されている柱状又は筒状であり、台座２１の穴２１０の内面が、可搬容器１の突出部１０の外面に沿う形状を有する場合、突出部１０の側面及び穴２１０の内面は、夫々鉛直の曲面状である。このため、突出部１０の嵌脱時における可搬容器１の突出部１０と台座２１の穴２１０との接触面積が大きく、この結果、可搬容器１の突出部１０と台座２１の穴２１０との摩擦が大きく、穴２１０に対する突出部１０の嵌脱のために使用者が大きな力を必要とする。
【００５２】
また、可搬容器１の突出部１０と台座２１の穴２１０との接触面積を小さくするために、例えば突出部１０の側面と穴２１０の内面との間に空隙を設ける場合、穴２１０に対する突出部１０の嵌脱は容易になるが、穴２１０に嵌合された突出部１０が穴２１０の内部でガタつくことがある。
【００５３】
一方、本実施の形態においては、穴２１０に嵌合された突出部１０と穴２１０との接触面積が大きく、突出部１０が穴２１０の内部でガタつくことを抑制することができる。更に、使用者が可搬容器１を僅かに持ち上げただけでも、突出部１０と穴２１０との間に空隙が生じるため、穴２１０に対する突出部１０の嵌脱は容易になる。つまり、台座２１に対する可搬容器１の着脱は容易である。
【００５４】
なお、清掃具収納器４に収納される柄付清掃具３は、便器掃除用の柄付ブラシに限るものではない。また、清掃具収納器４の形状も、本実施の形態に例示した形状に限るものではない。
【図面の簡単な説明】
【００５５】
【図１】本発明に係る清掃具収納器の構成を示す斜視図である。
【図２】本発明に係る清掃具収納器が備える可搬容器の構成を示す側面図及び拡大斜視図である。
【図３】本発明に係る清掃具収納器が備える収納器本体の構成を示す正面図及び平面図である。
【図４】本発明に係る清掃具収納器が備える収納器本体に対する可搬容器の着脱方法を示す説明図である。
【符号の説明】
【００５６】
１  可搬容器
１０  突出部
１０ａ  凸部
１１  摘持部
２  収納器本体
２１  台座
２１０  穴
２１ａ  凹部
２２  支持部
３  柄付清掃具
３１  清掃体
３２  柄
４  清掃具収納器
【図１】
2006122225.tif 000003
【図２】
2006122225.tif 000004
【図３】
2006122225.tif 000005
【図４】
2006122225.tif 000006